【手続補正書】
【提出日】平成22年4月22日(2010.4.22)
【手続補正１】
【補正対象書類名】特許請求の範囲
【補正対象項目名】全文
【補正方法】変更
【補正の内容】
【特許請求の範囲】
【請求項１】
電子番組表を生成する番組表生成装置であって、
前記電子番組表に表示される各番組に関する情報を取得する情報取得手段と、
前記各番組に関する情報に含まれる各番組の放送時間に関する情報に基づき、前記電子番組表において各番組の放送時間を表す第１の表示領域の大きさを決定する第１の決定手段と、
前記各番組に関する情報に基づいて、前記各番組に関する情報に含まれる各番組の内容に関する情報を前記電子番組表において表示するための第２の表示領域の大きさを決定する第２の決定手段と、
前記第１及び第２の決定手段により決定された前記第１及び第２の表示領域の大きさに基づく前記電子番組表を表示部に表示させる表示制御手段と
を備え、
前記第２の決定手段は、各番組の前記第２の表示領域の大きさを、該番組の前記第１の表示領域が表す放送時間に対応した大きさに決定し、決定された該第２の表示領域が予め定められた大きさよりも小さい場合に、該第２の表示領域の大きさを前記予め定められた大きさに一致させるように調整することを特徴とする番組表生成装置。
【請求項２】
前記表示制御手段は、番組を放送するチャンネル毎に、前記電子番組表の時間軸方向に沿って、前記第１の表示領域による第１の列と、第２の表示領域による第２の列とを構成し、前記第１の列と前記第２の列とを隣接させて前記電子番組表を表示させることを特徴とする請求項１に記載の番組表生成装置。
【請求項３】
前記第２の決定手段は、決定された該第２の表示領域が予め定められた大きさよりも小さい場合に、対応する番組の前番組または後番組の前記第２の表示領域を小さくすることにより、前記対応する番組の前記第２の表示領域の大きさを前記予め定められた大きさに一致させるように調整することを特徴とする請求項１または請求項２に記載の番組表生成装置。
【請求項４】
番組表生成装置において電子番組表を生成する番組表生成方法であって、
情報取得手段が、電子番組表に表示される各番組に関する情報を取得する情報取得工程と、
第１の決定手段が、前記各番組に関する情報に含まれる各番組の放送時間に関する情報に基づき、前記電子番組表において各番組の放送時間を表す第１の表示領域の大きさを決定する第１の決定工程と、
第２の決定手段が、前記各番組に関する情報に基づいて、前記各番組に関する情報に含まれる各番組の内容に関する情報を前記電子番組表において表示するための第２の表示領域の大きさを決定する第２の決定工程と、
表示制御手段が、前記第１及び第２の決定工程において決定された前記第１及び第２の表示領域の大きさに基づく前記電子番組表を表示部に表示させる表示制御工程と
を備え、
前記第２の決定工程では、各番組の前記第２の表示領域の大きさを、該番組の前記第１の表示領域が表す放送時間に対応した大きさに決定し、決定された該第２の表示領域が予め定められた大きさよりも小さい場合に、該第２の表示領域の大きさを前記予め定められた大きさに一致させるように調整する
ことを特徴とする番組表生成方法。
【請求項５】
前記表示制御工程では、番組を放送するチャンネル毎に、前記電子番組表の時間軸方向に沿って、前記第１の表示領域による第１の列と、第２の表示領域による第２の列とを構成し、前記第１の列と前記第２の列とを隣接させて前記電子番組表を表示させることを特徴とする請求項４に記載の番組表生成方法。
【請求項６】
前記第２の決定工程では、決定された該第２の表示領域が予め定められた大きさよりも小さい場合に、対応する番組の前番組または後番組の前記第２の表示領域を小さくすることにより、前記対応する番組の前記第２の表示領域の大きさを前記予め定められた大きさに一致させるように調整することを特徴とする請求項４または請求項５に記載の番組表生成方法。
【請求項７】
電子番組表を生成する番組表生成装置であって、
前記電子番組表に表示される各番組に関する情報を取得する情報取得手段と、前記各番組に関する情報に含まれる各番組の放送時間に関する情報に基づき、前記電子番組表において各番組の放送時間を表す第１の表示領域の大きさを決定する第１の決定手段と、
前記各番組に関する情報に基づいて、前記各番組に関する情報に含まれる各番組の内容に関する情報を前記電子番組表において表示するための第２の表示領域の大きさを決定する第２の決定手段と、
前記第１及び第２の決定手段により決定された前記第１及び第２の表示領域の大きさに基づく前記電子番組表を表示部に表示させる表示制御手段と
を備え、
前記第２の決定手段は、各番組の前記第２の表示領域の大きさを、該番組の放送時間に対応した大きさに決定し、放送時間が所定の長さよりも短い番組については、前記第２の表示領域の大きさが予め定められた大きさになるように調整することを特徴とする番組表生成装置。
【請求項８】
番組表生成装置において電子番組表を生成する番組表生成方法であって、
情報取得手段が、電子番組表に表示される各番組に関する情報を取得する情報取得工程と、
第１の決定手段が、前記各番組に関する情報に含まれる各番組の放送時間に関する情報に基づき、前記電子番組表において各番組の放送時間を表す第１の表示領域の大きさを決定する第１の決定工程と、
第２の決定手段が、前記各番組に関する情報に基づいて、前記各番組に関する情報に含まれる各番組の内容に関する情報を前記電子番組表において表示するための第２の表示領域の大きさを決定する第２の決定工程と、
表示制御手段が、前記第１及び第２の決定工程において決定された前記第１及び第２の表示領域の大きさに基づく前記電子番組表を表示部に表示させる表示制御工程と
を備え、
前記第２の決定工程では、各番組の前記第２の表示領域の大きさを、該番組の放送時間に対応した大きさに決定し、放送時間が所定の長さよりも短い番組については、前記第２の表示領域の大きさが予め定められた大きさになるように調整することを特徴とする番組表生成方法。
【請求項９】
コンピュータに請求項４乃至６及び請求項８のいずれか１項に記載の番組表生成方法を実行させるためのコンピュータプログラム。
【手続補正２】
【補正対象書類名】明細書
【補正対象項目名】００１２
【補正方法】変更
【補正の内容】
【００１２】
上記課題を解決するための本発明はまた、番組表生成装置において電子番組表を生成する番組表生成方法であって、
情報取得手段が、電子番組表に表示される各番組に関する情報を取得する情報取得工程と、
第１の決定手段が、前記各番組に関する情報に含まれる各番組の放送時間に関する情報に基づき、前記電子番組表において各番組の放送時間を表す第１の表示領域の大きさを決定する第１の決定工程と、
第２の決定手段が、前記各番組に関する情報に基づいて、前記各番組に関する情報に含まれる各番組の内容に関する情報を前記電子番組表において表示するための第２の表示領域の大きさを決定する第２の決定工程と、
表示制御手段が、前記第１及び第２の決定工程において決定された前記第１及び第２の表示領域の大きさに基づく前記電子番組表を表示部に表示させる表示制御工程と
を備え、
前記第２の決定工程では、各番組の前記第２の表示領域の大きさを、該番組の前記第１の表示領域が表す放送時間に対応した大きさに決定し、決定された該第２の表示領域が予め定められた大きさよりも小さい場合に、該第２の表示領域の大きさを前記予め定められた大きさに一致させるように調整することを特徴とする。